(57)【要約】      （修正有）【課題】病院の外来者の受付時に於いて、外来者自身の操作により、カルテ用の問診票を簡単に作成することができる問診票作成装置を提供する。【解決手段】外来者の問診票作成装置の携帯入力手段は、患者が記入した記入済問診用紙を読み込んだスキャナの情報を取り込む機能を有すると共に、当該患者の情報を受付要因として患者テーブルに登録するステップと、一方、顔写真撮影手段によって撮影された当該患者の顔写真のイメージデータを前記患者テーブルに登録された患者名に関連付けて患者イメージファィルに登録するステップとを有し、また、携帯入力手段は、前記患者テーブルに関連付のある当該患者の診療券用ＩＤ番号に基づき、問診票に関する基本データを作成する問診票作成手段を有し、患者又は／及び病院の担当者が、その場で当該患者の基本データを確認した後、プリンター端末に出力し、該プリンター端末により、カルテ用問診票をプリントアウトするステップとを備える。【選択図】図１
2004310419.tif 000002
【特許請求の範囲】
【請求項１】
少なくとも１台以上のタッチパネル式の携帯入力手段と、この携帯入力手段から出力された患者の基本データをプリントアウトするプリンター端末とから成り、前記携帯入力手段は、患者が記入した記入済問診用紙を読み込んだスキャナの情報を取り込む機能を有すると共に、当該患者の情報を受付要因として患者テーブルに登録するステップと、一方、顔写真撮影手段によって撮影された当該患者の顔写真のイメージデータを前記患者テーブルに登録された患者名に関連付けて患者イメージファィルに登録するステップとを有し、また、携帯入力手段は、前記患者テーブルに関連付のある当該患者の診療券用ＩＤ番号に基づき、問診票に関する基本データを作成する問診票作成手段を有し、患者又は／及び病院の担当者が、その場で当該患者の基本データを確認した後、プリンター端末に出力し、該プリンター端末により、カルテ用問診票をプリントアウトするステップとを備える外来者の問診票作成装置。
【請求項２】
請求項１に於いて、携帯入力手段は、病院内に設置されかつＩＤ番号付与手段を有するコンピュータ本体から当該患者のＩＤ番号を受け取ることを特徴とする外来者の問診票作成装置。
【請求項３】
請求項１又は請求項２に於いて、コンピュータ本体は、携帯入力手段から問診票に関する基本データを受理したら、
当該患者の基本データがコンピュータ本体に当該患者の保険証に基づき入力した当該患者の情報と一致しているか否かをチェックする照合手段を有することを特徴とする外来者の問診票作成装置。
【請求項４】
請求項１に於いて、携帯入力手段がＩＤ番号受付手段を有し、一方、病院内に設置されたコンピュータ本体は、前記携帯入力手段から患者のＩＤ番号を含む基本データを受理することを特徴とする外来者の問診票作成装置。
【請求項５】
請求項１に於いて、携帯入力手段１Ａの制御手段６Ａは、コンピュータ本体１７又は携帯入力手段１Ａのタッチパネル７ａのいずれかから、患者ＩＤ番号に関する信号を受理すると、顔写真シール作成手段４１により、少なくとも２枚以上の顔写真Ｐを有する補助シール４２用のデータを生成し、プリンター端末２に出力ことを特徴とする外来者の問診票作成装置。
【請求項６】
少なくとも１台以上のタッチパネル式の携帯入力手段と、この携帯入力手段から出力された患者の基本データをプリントアウトするプリンター端末とから成り、前記携帯入力手段は、患者が該携帯入力手段の表示手段に表示された問診内容を見ながら入力した問診データを取り込む機能を有すると共に、当該患者の情報を受付要因として患者テーブルに登録するステップと、一方、顔写真撮影手段によって撮影された当該患者の顔写真のイメージデータを前記患者テーブルに登録された患者名に関連付けて患者イメージファィルに登録するステップとを有し、また、携帯入力手段は、前記患者テーブルに関連付のある当該患者の診療券用ＩＤ番号に基づき、問診票に関する基本データを作成する問診票作成手段を有し、患者又は／及び病院の担当者が、その場で当該患者の基本データを確認した後、プリンター端末に出力し、該プリンター端末により、カルテ用問診票をプリントアウトするステップとを備える外来者の問診票作成装置。
【請求項７】
請求項６に於いて、当該患者の診療券用ＩＤ番号は、携帯入力手段の表示手段に表示された問診内容を見ながら、病院の受付担当者が、該表示手段のタッチパネルを利用して入力され、一方、病院内に設置されたコンピュータ本体は、携帯入力手段から前記ＩＤ番号付を受け取ることを特徴とする外来者の問診票作成装置。
【請求項８】
請求項６に於いて、携帯入力手段は、病院内に設置され、かつ、ＩＤ番号付与手段を有するコンピュータ本体から当該患者のＩＤ番号を受け取ることを特徴とする外来者の問診票作成装置。
【請求項９】
請求項６に於いて、カルテ用問診票を、電子カルテへの添付ファイルとして利用することを特徴とする外来者の問診票作成装置。
【発明の詳細な説明】
【０００１】
【発明の属する技術分野】
本発明は、病院の外来者の受付時に於いて、カルテ用の問診票を自動的に作成することができる外来者の問診票作成装置に関する。
【０００２】
【従来の技術】
従来例としては、特開２００１−３０６７０４号公報がある。この従来例の目的は、患者の取り違えなどに起因する医療ミスを未然に防止することであり、その構成は、「入院患者の顔写真などにより患者のイメージデータを作成すると同時に、当該患者の氏名，生年月日，年令，性別，血液型，担当診療科などを内容とする患者データを作成して、前記イメージデータと患者データとをリンクさせ、これに固有のコードを付与した形でコンピュータの記憶部に格納し、前記コンピュータに格納されたデータから個々の患者ごとに当該患者の顔写真とその患者データの内容と固有コードが複数枚のシールとして記載された基シートをプリントアウトし、各シールを基シートから取り外してその患者のカルテを始めとする関係書類やその患者が使用する医療用具や薬剤容器などに貼付すること」である。
【０００３】
したがって、従来の実施例は、特に医師が取り扱う患者のカルテに当該患者の顔写真とその患者データが印刷されたシールを貼付するので、患者の取り違えを未然に防止することができるという利点がある。
【０００４】
ところで、現在、このような従来例の利点を生かすことを目的とした上で、外来者に対する受付時、問診内容を含む基本データをその場で外来者自身が主体となって迅速かつ簡単に作成し、しかもシート或いはシール的にプリントアウトして患者のカルテに添付或いは貼付することができる問診票作成装置の出現が要望されている。
【０００５】
【発明が解決しようとする課題】
本発明の第１の目的は、お年寄り、身体障害者、子供等の外来者自身も、簡単かつ正確にカルテ用の問診票を作成することができることである。第２の目的は、病院の外来者（患者）の受付時に於いて、不特定多数の外来者自身がそれぞれ同じ時間帯にバラバラに入力した各患者の基本データを集中的にサーバ側のプリンター端末に入力し、診療券のＩＤ番号に関連付けで効率的にカルテ用の問診票を作成すること。第３の目的は、極力プリンター端末の台数を減らし、装置の設置スペースを取らないようにすることである。第４の目的は、問診票からその患者の顔写真と氏名と診療券のＩＤ番号とが一体となった識別シール或いはシートを得ることである。なお、当該識別シールはその患者が使用する医療用具、薬剤容器、薬袋、装着バンドなど被識別対象物に貼付することができる。
【０００６】
【課題を解決するための手段】
本発明の外来者の問診票作成装置は、少なくとも１台以上のタッチパネル式の携帯入力手段と、この携帯入力手段から出力された患者の基本データをプリントアウトするプリンター端末とから成り、前記携帯入力手段は、患者が記入した記入済問診用紙を読み込んだスキャナの情報を取り込む機能を有すると共に、当該患者の情報を受付要因として患者テーブルに登録するステップと、一方、顔写真撮影手段によって撮影された当該患者の顔写真のイメージデータを前記患者テーブルに登録された患者名に関連付けて患者イメージファィルに登録するステップとを有し、また、携帯入力手段は、前記患者テーブルに関連付のある当該患者の診療券用ＩＤ番号に基づき、問診票に関する基本データを作成する問診票作成手段を有し、患者又は／及び病院の担当者が、その場で当該患者の基本データを確認した後、プリンター端末に出力し、該プリンター端末により、カルテ用問診票をプリントアウトするステップとを備えることを備えることを特徴とする。
【０００７】
また、本発明の外来者の問診票作成装置は、少なくとも１台以上のタッチパネル式の携帯入力手段と、この携帯入力手段から出力された患者の基本データをプリントアウトするプリンター端末とから成り、前記携帯入力手段は、患者が該携帯入力手段の表示手段に表示された問診内容を見ながら入力した問診データを取り込む機能を有すると共に、当該患者の情報を受付要因として患者テーブルに登録するステップと、一方、顔写真撮影手段によって撮影された当該患者の顔写真のイメージデータを前記患者テーブルに登録された患者名に関連付けて患者イメージファィルに登録するステップとを有し、また、携帯入力手段は、前記患者テーブルに関連付のある当該患者の診療券用ＩＤ番号に基づき、問診票に関する基本データを作成する問診票作成手段を有し、患者又は／及び病院の担当者が、その場で当該患者の基本データを確認した後、プリンター端末に出力し、該プリンター端末により、カルテ用問診票をプリントアウトするステップとを備えることを備えることを特徴とする。
【０００８】
【発明の実施の形態】
図１〜図９は、本発明の第１実施例を示す。図１はシステム全体の概要を示す説明図、図２はシステムの全体のブロック図、図３はシステムの主たるハード構成の外観図、図４は本発明で得られるカルテ用問診票の一例を示す。まず、図１〜図４を参照にしてシステム全体を簡単に説明する。
【０００９】
問診票作成装置Ｘは、基本的には、複数個のタッチパネル式携帯入力手段１と、この携帯入力手段１が直接又は間接的に取り組んだ外来者（患者）の基本データをプリントアウトするプリンター端末２とから成る。基本データがプリンター端末２からプリントアウトされると、図４に示すカルテ添付用又は貼付用の問診票３Ｂとなる。この問診票３はシート又は剥離可能な複数枚の患者の顔写真を有するシールである。
【００１０】
図３で示すように、少なくとも１台以上の携帯入力手段（本実施例では合計３台）１は、デシタルカメラと、スタイラスペンと称される文字情報入力用ペンと、外部的入力手段としてのタッチパネル式表示画面とをそれぞれ有している。なお、携帯入力手段１は、多数の患者のデータを記憶手段に蓄積することができると共に、同種の入力手段としてそれぞれ識別コード化されている（固有のコードを有する）。したがって、後述するコンピュータ本体はもちろんのこと、病院内で構築したＬＡＮへのデータ送信も可能である。
【００１１】
まず、図１，図２を参照にシステムを説明する。初診の外来者（患者）ＯＵは、普通一般に自己の保険証ＰＨを病院に持参する。その際、病院の受付に用意されている問診用紙３を病院の担当者ＨＣ等から受け取り、該問診用紙３に住所、氏名、生年月日等の特定事項を記入すると共に、チェック方式で下欄の問診事項に回答する。この問診用紙３を利用する形式は、老人、子供、身体障害者等に有効である。また、個人情報を口頭で言いたくない場合にも有効である。
【００１２】
図５は、記入済問診用紙３Ａを示す。なお、問診用紙３Ａの住所、氏名、生年月日は、当該患者ＯＵが肉筆で記入したものである。また、記入済問診用紙３Ａの四角の黒塗りは、当該患者ＯＵがチェックした箇所である。この段階では、右上の四角は顔写真イメージ用の空欄となっている。
【００１３】
次に４は外来者ＯＵが記入した記入済問診用紙３Ａを読み込むスキャナである。本実施例の前記携帯入力手段１は、スキャナ４で読み込んだ外来患者ＯＵの情報を取り込む機能を有すると共に、当該患者の情報を受付要因として患者テーブルに登録する。また、顔写真撮影手段によって撮影された当該患者の顔写真のイメージデータを前記患者テーブルに登録された患者名に関連付けて患者イメージファィルに登録する。この時、スキャナ４及び携帯入力手段１を取り扱うのは、病院の担当者ＨＣである。
【００１４】
さて、携帯入力手段１は、プリンター端末２に取り出し自在に装備され、かつ、入力・出力部、中央処理部、記憶部、表示部等を有する。
【００１５】
すなわち、５は問診票データ等を一時的に記憶する記憶手段、６は記憶手段から取り出した前記問診票データ等を、タッチパネル７ａを有する表示手段（画面）７に表示する処理部としての制御手段、８は外来者の顔写真撮影手段、９は顔写真撮影手段によって撮影されたイメージデータと前記表示画面を介して入力された問診データとを要因コード等によりリンクさせる問診識別手段、１０は問診識別手段９により識別されたイメージデータ、スキャニングした問診データ及び当該患者に付された診療券用ＩＤ番号を含む外来者ＯＵの基本データｄをプリンター端末２に出力する出力手段である。当該患者の診療券用ＩＤ番号は、携帯入力手段の表示手段に表示された問診内容を見ながら、病院の受付担当者ＨＣが、該表示手段のタッチパネルを利用して入力することができる。この場合に於いて、病院内に設置されたコンピュータ本体１７は、携帯入力手段１から前記ＩＤ番号付を受け取ることができる。本実施例では、後述するように、携帯入力手段１は、病院内に設置され、かつ、ＩＤ番号付与手段１８を有するコンピュータ本体１７から当該患者のＩＤ番号１８ａを受け取る。
【００１６】
ここで、図３を参照にして携帯入力手段１とプリンター端末２とを説明する。携帯入力手段１の大きさは、現在市販されている電子手帳、ポケットルークス（商標）などのように大人の片手で握ることができる程度である。タッチパネル式の表示手段（画面）７は、携帯手帳のように縦長である。文字情報入力用ペン（スタイラスペン）１１は、箱型のプリンター端末２の側壁２ａに形成された少なくとも１つ以上のペン差し込み部１２から自由に取り出すことができる。また文字情報入力用ペン１１も、前記側壁２ａに突出形成された携帯入力手段差し込み部１３から自由に取り出すことができる。
【００１７】
プリンター端末２は、上壁２ｂにタッチパネル式の端末表示画面１４を有している。プリント時、この端末表示画面１４でも基本データの内容を確認することができる。さらに、前壁２ｃには、プリントアウトされる問診票３Ｂ用の取り出し口１５が形成されている。
【００１８】
次に、図１及び図２に戻る。１６は問診票作成手段で、この問診票作成手段１６は、記憶手段５に一時的に格納された問診票データａに基づき、図４に示す問診票３Ｂを作成する機能を有すると共に、表示手段７に表示する機能も有する。ところで、病院の受付担当者ＨＣは、外来患者ＯＵの保険証ＰＨを受け取ったならば、該保険証ＰＨに記載の保険情報ａ１を病院内に設置されているコンビュータ本体１７に入力する。コンビュータ本体１７はサーバ的機能を有し、入力・出力部、中央処理部、記憶部、表示部等を有する（病院内でＬＡＮを構築しているが図の詳細は省略）。
【００１９】
このコンビュータ本体１７は、本実施例では、少なくとも前記保険情報ａ１に基づき、当該患者ＯＵに対してＩＤ番号を付与するＩＤ番号付与手段１８、携帯入力手段１側から当該患者ＯＵの基本データｄを貰った場合に、前記付与済ＩＤ番号１８ａと基本データｄのそれとが一致しているか否かを照合する照合手段１９を有する。
【００２０】
図６は携帯入力手段１の概略的な構成図である。前述したように、本実施例では、スキャナ４を介して間接的に、又は表示手段７のタッチパネル７ａから直接的に、制御手段６に必要な情報が入力される（問診データｃを取り込む）。ここで「必要な情報」は、次の通りである。
【００２１】
（１）まず、受診年月日、患者の住所・氏名、生年月日など外来者を特定する特定人情報ａがある。この特定人情報ａは、スキャナニング又は人為的入力方式であれ、受付要因として患者受付（登録）手段２０を介して記憶手段５の患者テーブル２１に登録（蓄積）される。特定人情報ａの入力の仕方に関し、表示手段７側の入力部を利用する場合には、文字情報入力用ペン１１を用いる。
【００２２】
（２）次に、顔写真撮影手段としてのデジタルカメラ８を利用し、当該患者の顔写真のイメージデータｂを撮る。このイメージデータｂは、第２の受付要因として患者イメージ受付手段２２を介して記憶手段５の患者イメージファイル２３に登録（蓄積）される。
【００２３】
（３）次に問診データｃは、記入済問診用紙３Ａを読み込んだスキャナの情報ａを利用する場合には、そのまま問診データｃを問診データ受付手段２４が受け取る。この問診情報ｃは問診データファイル（派生要因）に格納される。一方、表示手段７のタッチパネル７ａを利用する場合には、患者ＯＵは、表示画面７に表示されている問診票用紙の描画を見ながら、問診に答える。
【００２４】
表示画面７には、図５で示すように、例えば「しっしん、かぶれができた事がありますか」、「ぜんそくといわれた事がありますか」、「じんましんができた事がありますか」など複数個の問診内容が表示されているので、それぞれの回答欄に文字情報入力用ペン１１を触れる。本実施例では、患者はチェック方式で簡単に回答することができる。この問診データｃは、スキャニングの場合と同様に、案件データ或いは派生要因として問診データ受付手段２４を介して記憶手段５の問診データファイル２５に登録（蓄積）される。
【００２５】
２６は記憶手段５に格納された問診票作成プログラムである。該問診票作成プログラム２６は、問診票としてレイアウトされた複数個のフイールドに、前述した住所・氏名等の外来者を特定する特定人情報ａと、この特定人情報ａに関連付けられたイメージデータｂと、当該特定人の問診結果を示す問診データｃとをそれぞれ一覧表形式で位置付けし、かつ、受付要因としての患者イメージファイル２３及び問診データファイル２５を受診年月日別（時系列）に蓄積する。また、図７で示すように、直接又は間接的に患者のＩＤ番号を受付けた場合には、受付け要因（患者テーブル２１又は／及び患者イメージファイル２３）に関連付ける。
【００２６】
本実施例では、携帯入力手段１は、病院内に設置され、かつ、ＩＤ番号付与手段１８を有するコンピュータ本体１７から当該患者のＩＤ番号１８ａを、ＩＤ受付手段２６を介して受け取る。ＩＤ受付手段２６は、当該患者のＩＤ番号１８ａを受け取ったならば、患者テーブル２１、患者イメージファイル２３及び問診データファィル２５にそれぞれ関連付けながら記憶手段５の患者ＩＤ番号受付ファイル２７に格納する。
【００２７】
したがって、制御手段６の問診票作成手段１６が、問診票作成プログラム２８に基づいて問診票を作成する場合には、その基本データｄには、当該患者ＯＵの住所、氏名、生年月日を主とする特定人情報ａと、当該患者の顔写真を主とするイメージデータｂと、当該患者の問診データｃと、当該患者に保険証の情報ａ１に基づいて付されたＩＤ番号１８ａとが含まれる。
【００２８】
次に、図６，図７を参照にして患者に関する受付要因の相互関係を説明する。まず、本実施形態では、外来者として患者Ａ、患者Ｂ、患者Ｃ、看者Ｄを設定する。これらの患者Ａ〜Ｄは、受診年月日別に、第１受付要因として患者テーブル２１に格納される。この場合に於いて、患者受付手段２０は、各患者Ａ〜Ｄに第１要因コード「Ａ」、「Ｂ」、「Ｃ」、「Ｄ」を割り当てると共に、これらの第１要因コード「Ａ」、「Ｂ」、「Ｃ」、「Ｄ」を、図５の左側に示すように所定の記憶エリア３０に患者の氏名領域２９と対応付けて格納する。問診識別手段９は、これを外来者のマスタとして使用する。
【００２９】
次に、患者イメージファイル２３は、受診年月日別に、患者テーブル２１の前記記憶エリア３０に関連付けられた患者要因コード格納エリア３１を有している。したがって、この患者要因コード格納エリア３１には、患者Ａ〜Ｄの第１要因コード「Ａ」、「Ｂ」、「Ｃ」、「Ｄ」が格納される。そこで、患者イメージ受付手段２２が患者「Ａ」、「Ｂ」、「Ｃ」、「Ｄ」を受付すると、患者要因コード格納エリア３１に対応付して「患者Ａイメージ」、「患者Ｂイメージ」、「患者Ｃイメージ」、「患者Ｄイメージ」をそれぞれ患者イメージ記憶エリア３２に登録する。この時、入力方式としてタッチパネル７ａを利用した当該患者は、携帯入力手段１の表示画面に表れた「少なくとも自己の氏名と顔」を見て、かつ、確認を促す表示枠ボックスを見た上で確認の文字にタッチ「確認（スタイラスペン）」する。
【００３０】
そうすると、問診識別手段９は、図７の右側に示すように所定の識別コード記憶エリア３３に患者の識別コード、例えば「００１」、「００２」、「００３」、「００４」を割付け格納する。これにより、受診年月日別に患者の氏名とその顔写真と患者識別コードが正確に関連付けられる。また、前述したように、患者ＩＤ番号を第１及び第２受付要因２１，２３に関連付けられる。
【００３１】
次に図６〜図８を参照にして患者イメージファイル（受付要因）と問診データファイル（派生要因）との相互関係を説明する。制御手段５は、前述したように表形式でレイアウトされた問診票（又は既にスキャナで取り組んだ問診データ）をタッチパネル式の表示手段７に表示している。今ここで、例えば「患者Ａ」が、２００３年１月２０日に、特定人情報ａを入力し、かつ、イメージデータｂも入力し、患者イメージファイル２３にこれらの情報が一時的に格納されたものとする。
【００３２】
図７で示すように患者イメージファイル２３には、少なくとも患者「Ａの氏名」、患者「Ａの顔写真（Ａイメージ）」及び患者「Ａの識別コード００１」がそれぞれ所定の記憶エリア３１，３２，３３に格納されている。
【００３３】
一方、問診データファイル２５は、図８の右側に示すように、患者「Ａの識別コード００１」を格納する要因コード記憶エリア３５と、この要因コード記憶エリア３５に格納された識別コード００１に対応する患者名「Ａ」を格納する患者記憶エリア３６と、問診識別手段９により割り当てられた識別コードの一例としての派生要因コード「ａ００１」を格納する派生要因コード記憶エリア３７と、ＩＤ番号受付手段１８によって投げられた患者ＩＤ番号ＯＵＭ００１を格納するＩＤ番号記憶エリア３８とを有している。
【００３４】
しかして、前記派生要因コード「ａ００１」は、当該患者Ａが表示画面７に表れている問診票３の問診内容に回答した後に、当該患者に対して確認を促す図示しない表示枠ボックスの確認文字（例えば点滅している）を見て、タッチ「確認（スタイラスペン）」した後に割り当てられる。なお、携帯入力手段１がスキャニングの情報を取り組んだ場合には、自動的に割り当てられる。
【００３５】
このように派生要因コード「ａ００１」が付された後に当該患者Ａの基本データｄが出来上がって行く。
【００３６】
本発明の実施の形態（第１実施例）では、携帯入力手段１は、入力方法としてスキャナ４を利用した場合には、記入済み問診情報ｃ、イメーデータａ、患者のＩＤ番号１８ａをそれぞれ関連付けて記憶手段５に登録し、又は特定人情報ａを表示手段７を介して入力する場合には、その記憶手段６に問診票作成プログラム２８が格納されているので、該問診票作成プログラム２６に基つき、複数個のフイールドに、住所・氏名等の外来者を特定する特定人情報ａと、この特定人情報ａに関連付けられた顔写真情報ｂと、それに、コンピュータ本体２７から受け取った患者のＩＤ番号１８ａをそれぞれ登録する。
【００３７】
したがって、当該患者（例えば患者Ａ）が、表示手段７に表示されている一覧表形式の問診データファィル２５の内容を最終確認した後に、有線、無線等の出力手段１０を介してプリンター端末２に当該患者ＯＵの基本データｄを送信し、これを受信したプリンター端末２は、当該患者、病院担当者等は、再びその表示画面１４に表れた基本データｄを、その場で確認した後、端末の制御手段等を介してカルテ用問診表３Ｂをプリントアウトする。
【００３８】
この時、携帯入力手段１又は／及びプリンター端末２は、問診票としてレイアウトされた複数個のフイールドに、患者識別用の複数枚の小写真Ｐを横方向に並べる機能を有している。しかも、患者識別用の複数枚の小写真Ｐには、当該患者に関する情報（ＩＤ番号１８ａ、氏名，撮影日など）が貼り付けられる。
【００３９】
最後に図９は、制御手段６による制御手順を示すフローチャートである。フローチャートは、タッチパネル７ａを利用した場合について記述する。
【００４０】
Ｓ１０１は携帯入力手段１の表示画面７に記憶手段５に格納されている問診票作成プログラム２６の問診票データ２６ａを表示する。Ｓ１０２は患者に対して表示画面７に入力ペン１１を介して特定人情報を入力するように促す。Ｓ１０３は患者が特定人情報の意味を理解し、自分の住所・氏名、生年月日などの文字情報を入力する。
【００４１】
Ｓ１０４は患者に対して携帯入力手段１の撮影手段８を介して自分の顔を撮影するように促す。Ｓ１０５は、携帯入力手段１の撮影手段８を自分に向けて顔のイメージデータを入力する。
【００４２】
Ｓ１０６は、患者に対してレイアウトされた問診票を見ながら、問診データを入力するように促す。Ｓ１０７は、患者が問診票を見ながら問診に回答する。Ｓ１０８は患者が入力した問診票を確認した後に患者識別コード（例えば派生要因コード）が当該問診票に割り当てられたか否かを確認する。
【００４３】
制御手段５は患者識別コードが割り当てられたことを確認する。また、コンビュータ本体１７から当該患者に対して患者の診療券ＰＣに対応した患者ＩＤ番号１８ａが送られて来ているか否かを確認する（Ｓ１０９）。制御手段５は当該患者のＩＤ番号１８ａの存在を確認したならば、基本データｄを出力（Ｓ１１０）する。
【００４４】
Ｓ１１１は当該外来者（患者）がプリンター端末２の表示画面１４に表れた基本データｄの描画を、その場で確認する。この時、プリンター端末２に取り組まれた基本データｄは、コンピュータ本体１７に送り込まれる。コンピュータ本体１７は照合手段１９を介して該コンピュータ本体１７が発行した当該患者の診療券ＰＣの患者ＩＤ番号１８ａと、基本データｄに含まれている患者ＩＤ番号１８ａとが一致しているか否かを照合する。
【００４５】
もし、一致していない場合には、当該患者の問診票３Ｂの印刷を阻止する信号をプリンター端末２に送信する。この場合、前段階の携帯入力手段１の表示手段７で確認する場合も同様にコンピュータ本体１７は照合手段１９がチェックする（二段階チェック方式）。このように二段階チェック方式により確認をした後、該プリンター端末２によりカルテ用問診票３Ｂをプリントアウトする。
【００４６】
ところで、３台の携帯入力手段からの基本データｄは、コンピュータ本体１７に集中的に集められる。したがって、本発明は、コンピュータ本体１７を基準にして、いわゆるＬＡＮ（病院内のネットワーク）を組むことができる。
【００４７】
【実施例】
当該患者ＯＵの診療券ＰＣ用ＩＤ番号の関連付け構成に関し、第１実施例では、（１）携帯入力手段１がコンピュータ本体１７からもらう考え方を示した。その他均等論として、（２）携帯入力手段１に固有のコードを付与し、これに一定範囲のＩＤ番号を付与する権限（割り当て）を与える考え方もある。この場合には担当者が携帯入力手段１に割り当ての範囲内で自由に入力することができる。（３）さらに、外来者が記入した記入済問診票それ自体に、予めＩＤ番号が印刷されている、或いはスキャナ４で読み込む時に付与する考え方も可能である。この場合の実施例では、スキャナ４とコンピュータ本体１７とは、電気的に接続している。
【００４８】
次に、この欄では、本実施の形態（第１実施例）と異なる実施例について説明する。なお、この実施例は、第１実施例の主要部に他の構成要件を付加したものであるから、説明にあたって、第１実施例と同一又は同様（機能が同一）の部分には、同一又は同様の符号を付し、重複する説明を省略する。
【００４９】
図１０に示す第２実施例に於いて、前記第１実施例と主に異なる点は、制御手段６Ａの処理部は、顔写真シール作成手段４１を備えていることである。
【００５０】
上記構成に於いては、携帯入力手段１Ａの制御手段６Ａは、コンピュータ本体１７又は携帯入力手段１Ａのタッチパネル７ａの何れかから、患者ＩＤ番号に関する信号を受理すると、顔写真シール作成手段４１により、少なくとも２枚以上の顔写真Ｐを有する補助シール４２用のデータを生成し、プリンター端末２に出力する利点がある。
【００５１】
なお、本発明の各実施例に於いて、カルテ用問診票は、図示しない電子カルテへの添付ファイルとして利用しても良い。
【００５２】
【発明の効果】
以上の説明から明らかなように、本発明にあっては、次に列挙するような効果がある。
（１）お年寄り、身体障害者、子供等の外来者自身も、簡単かつ正確にカルテ用の問診票を作成することができる。
（２）外来者が携帯入力手段又は／及びプリンター端末の表示手段を見ながら簡単かつ正確にカルテ用の問診票を作成することができる。
（３）病院の外来者の受付時に於いて、同じ時間帯に複数の外来者がそれぞれ携帯入力手段を操作することにより、カルテ用の問診票を効率的ないし自動的に作成することができる。
（４）極力プリンター端末の台数を減らし、装置の設置スペースを取らないようにすることができる。
（５）問診票から、その患者の顔写真と氏名と診療券のＩＤ番号とが一体となった識別シール或いはシートを得ることができる。
（６）問診票からその患者の顔写真と氏名とが一体となった識別シールを得ることができる。当該識別シールはその患者が使用する医療用具、薬剤容器、薬袋、装着バンドなど被識別対象物に貼付することができる。
【図面の簡単な説明】
図１〜図９は、本発明の第１実施例を示す各説明図。図１０は、本発明の第２実施例を示す説明図。
【図１】システム全体の概要を示す説明図。
【図２】システムの全体のブロック図。
【図３】システムの主たるハード構成の外観図。
【図４】本発明で得られる問診票の一例を示す概略説明図。
【図５】記入済問診用紙の一例を示す説明図。
ハードウェアの主たる構成図。
【図６】ハード構成の概略説明図。
【図７】患者に関する受付要因の相互関係を示す概略説明図。
【図８】受付要因と問診データとの相互関係を示す概略説明図。
【図９】制御手段による制御手順の一例を示すフローチャート。
【図１０】第２実施例の図２と同様のブロック図。
【符号の説明】
Ｘ…問診票作成装置、ａ…特定人情報、ｂ…イメージデータ、ｃ…問診データ、ｄ…基本データ、１８ａ…患者ＩＤ番号、１，１Ａ…携帯入力手段、２…プリンター端末、３…問診票用紙、３Ａ…記入済問診用紙、３Ｂ…問診票、５…記憶手段、６，６Ａ…制御手段、７…表示手段（７ａ…タッチパネル）、８…顔写真撮影手段、９…問診識別手段、１０…出力手段、１１…入力ペン、１２…ペン差し込み部、１３…差し込み部、１４…タッチパネル式のプリンター端末の表示画面、１５…取り出し口、１６…問診票作成手段、１７…コンピュータ本体、１８…ＩＤ番号付与手段、１９…照合手段、２０…患者受付手段、２１…患者テーブル、２２…患者イメージ受付手段、２３…患者イメージファイル、２４…問診データ受付手段、２５…問診データファイル、２６…ＩＤ番号受付手段、２７…患者ＩＤ番号受付ファイル、２８…問診票作成プログラム、２９…看者名記憶領域、３０…患者要因コードの記憶エリア、３１…患者要因コード格納エリア、３２…患者イメージ記憶エリア、３６…患者記憶エリア、３７…派生要因コード記憶エリア、３８…ＩＤ番号記憶エリア、４１…顔写真シール作成手段。
【図１】
2004310419.tif 000003
【図２】
2004310419.tif 000004
【図３】
2004310419.tif 000005
【図４】
2004310419.tif 000006
【図５】
2004310419.tif 000007
【図６】
2004310419.tif 000008
【図７】
2004310419.tif 000009
【図８】
2004310419.tif 000010
【図９】
2004310419.tif 000011
【図１０】
2004310419.tif 000012